(57)【特許請求の範囲】
【請求項１】
喫煙物品のパケット（１）であって、
カップ形の外側容器（２）であって、開いた上端部、前記上端部とは反対側の底壁（６）、前壁（７）及び反対側の平行な後壁（８）、及び２つの対向する平行な側壁（９）を有するカップ形の外側容器（２）と、
カップ形の蓋（４）であって、前記開いた上端部の開位置と閉位置との間で前記外側容器（２）に対して旋回するように前記外側容器（２）にヒンジ結合され、開いた底端部、上壁（１０）、前壁（１１）及び反対側の平行な後壁（１２）、及び２つの対向する平行な側壁（１３）を有する、カップ形の蓋（４）と、
物品の群（１４）と、
内側パッケージ（３）であって、前記外側容器（２）の内側に収容されていて前記物品の群（１４）を封入しており、物品抜き取り口（１７）を露出させるために初めて喫煙物品のパケット（１）が開かれたときに完全に裂断される予め弱化されたＵ字形分離線（１６）によって前記内側パッケージ（３）の残りから分離されるリフトアップ部分（１５）を上部及び前部に有しており、前記リフトアップ部分（１５）は、他のエレメントの介在なしに、前記蓋（４）の上壁（１０）の内面、及び前記蓋（４）の前記前壁（１１）の内面と直接に接触している、内側パッケージ（３）と
を具備し、
剛性材料から形成された補強材（２４）を備えていて、前記補強材が、前記物品の群（１４）と接触する前記内側パッケージ（３）の内側に配置されており、かつ、Ｕ字形窓（２９）を備えた前壁（２５）と、前記前壁（２５）の対向する側に結合された２つの側壁（２６）とを含み、
前記リフトアップ部分（１５）が、前記内側パッケージ（３）の前壁（２０）に配置された底端部（３３）を有しており、前記底端部（３３）は、前記補強材（２４）の前記前壁（２５）上の、前記窓（２９）の下方に位置しており、
前記補強材（２４）の前記前壁（２５）が第１接着帯（３５）を有しており、前記第１接着帯（３５）が、前記リフトアップ部分（１５）の前記底端部（３３）を前記前壁（２５）に接着するように、前記リフトアップ部分（１５）の前記底端部（３３）のところで前記前壁（２５）の外面上に配置されている、
ことを特徴とする喫煙物品のパケット（１）。
【請求項２】
前記リフトアップ部分（１５）が前記蓋（４）の内面に接着されている、ことを特徴とする請求項１に記載の喫煙物品のパケット（１）。
【請求項３】
前記リフトアップ部分（１５）が、内側パッケージ（３）の前壁（２０）に配置された底端部（３３）を有しており、前記底端部が前記蓋（４）の前壁（１１）の内面に接着されている、ことを特徴とする請求項２に記載の喫煙物品のパケット（１）。
【請求項４】
前記分離線（１６）が、
前記内側パッケージ（３）の前壁（２０）内で延び、前記内側パッケージ（３）の連続的な貫通切れ目を画定しているＵ字形の横方向部分（３０）と、
部分的には前記内側パッケージ（３）の前壁（２０）内で且つ部分的には前記内側パッケージ（３）の上壁（１８）内で、途切れることなしに延び、前記横方向部分（３０）の対向する端部で始まり、前記内側パッケージ（３）の弱化された裂断可能部分を画定する、２つの長手方向部分（３１）と、
を含む、
ことを特徴とする請求項１から３のいずれか１項に記載の喫煙物品のパケット（１）。
【請求項５】
前記分離線（１６）の全長が前記内側パッケージ（３）の裂断可能部分を画定している、ことを特徴とする請求項１から３のいずれか１項に記載の喫煙物品のパケット（１）。
【請求項６】
前記分離線（１６）がまた、前記内側パッケージ（３）の後壁（２１）へ部分的に延びている、ことを特徴とする請求項１から５のいずれか１項に記載の喫煙物品のパケット（１）。
【請求項７】
前記分離線（１６）が前記内側パッケージ（３）の前壁（２０）及び上壁（１８）へのみ延びており、前記内側パッケージ（３）の上壁（１８）と後壁（２１）との間の横方向縁部には達することなしに終わっている、
ことを特徴とする請求項１から５のいずれか１項に記載の喫煙物品のパケット（１）。
【請求項８】
前記分離線（１６）が、前記内側パッケージ（３）の上壁（１８）と後壁（２１）との間の横方向縁部からゼロ以外の所与の距離を置いて終わっている、ことを特徴とする請求項７に記載の喫煙物品のパケット（１）。
【請求項９】
前記分離線（１６）が、
前記内側パッケージ（３）の前壁（２０）内で延び、前記内側パッケージ（３）内の連続的な貫通切れ目を画定しているＵ字形の横方向部分（３０）と、
部分的には前記内側パッケージ（３）の前壁（２０）内で且つ部分的には前記内側パッケージ（３）の上壁（１８）内で、途切れることなしに延び、前記横方向部分（３０）の対向する端部で始まり、前記内側パッケージ（３）の裂断可能部分を画定する、２つの長手方向部分（３１）と
を含み、
前記分離線（１６）の前記横方向部分（３０）の上方で前記分離線（１６）の前記２つの長手方向部分（３１）にオーバーラップするように、前記第１接着帯（３５）が配置されている、
ことを特徴とする請求項１から８のいずれか１項に記載の喫煙物品のパケット（１）。
【請求項１０】
前記第１接着帯（３５）が弱付着性の溶液系接着剤から成り、前記溶液系接着剤が、初めて喫煙物品のパケット（１）が開かれたときにその接着効果を放棄して失う、
ことを特徴とする請求項１から９のいずれか１項に記載の喫煙物品のパケット（１）。
【請求項１１】
前記リフトアップ部分（１５）の底端部（３３）を前記補強材（２４）の前壁（２５）に対して繰り返し取り外して再付着させるように、前記第１接着帯（３５）が非乾燥型の再付着性接着剤から成る、
ことを特徴とする請求項１から９のいずれか１項に記載の喫煙物品のパケット（１）。
【請求項１２】
前記補強材（２４）の前壁（２５）が第２接着帯（３６）を有しており、前記第２接着帯（３６）が、前記第１接着帯（３５）に対して平行に且つ前記第１接着帯（３５）から離隔しており、前記内側パッケージ（３）の、前記リフトアップ部分（１５）に隣接する部分を前記前壁（２５）に接着するように、前記リフトアップ部分（１５）の底端部（３３）の外部で前記前壁（２５）の外面上に配置されている、
ことを特徴とする請求項１から１１のいずれか１項に記載の喫煙物品のパケット（１）。
【請求項１３】
前記第２接着帯（３６）がＵ字形であり、前記リフトアップ部分（１５）の底端部（３３）を外方から取り囲んでいる、ことを特徴とする請求項１２に記載の喫煙物品のパケット（１）。
【請求項１４】
前記第２接着帯（３６）の端部が前記第１接着帯（３５）と接触することにより、前記２つの接着帯（３５，３６）が、接着剤なしの中心領域を仕切るリング形状を形成する、ことを特徴とする請求項１３に記載の喫煙物品のパケット（１）。
【請求項１５】
前記補強材（２４）がボール紙又は剛性の板紙から形成されており、
少なくとも前記補強材（２４）の前壁（２５）の外面がプラスチック被覆されており、すなわちプラスチック材料から成る外層によって覆われている、
ことを特徴とする請求項１から１４のいずれか１項に記載の喫煙物品のパケット（１）。
【発明の詳細な説明】
【技術分野】
【０００１】
本発明は、再閉鎖可能な抜き取り口を有する内側パッケージを備えた喫煙物品のパケットに関する。
本発明はシガレットのパケットに有利に適用される。このパケットについて、以下の記述は一般性を損なうことなしに明確に言及することになる。
【背景技術】
【０００２】
通常、ヒンジ付き蓋を有する、シガレットの剛性パケットは、シガレット群を封入する内側パッケージと、内側パッケージを収容する剛性外側ケーシングとを含む。
近年、シガレットタバコの官能特性をよりよく維持するために、防水性包装材料シートを折ってヒートシールすることにより形成されるシール済内側パッケージを使用することが提案されている。シガレットの抜き取りを可能にするために、シール済内側パッケージは通常、「開閉」タイプの接着ラベルによって覆われる。具体的には、接着ラベルは非乾燥型の再付着性接着剤を備えている。このような接着剤は、複数回にわたって開くシガレット抜き取り口の閉位置で接着ラベルを塞ぐのを可能にする。
しかしながら、現在市販されているシール済内側パッケージの抜き取り口は比較的小さく（すなわち広がりが僅かである）、そしてその結果、抜き取り口を通してシガレットを抜き取ることが困難な場合がある。
【０００３】
特許文献１に記載された、ヒンジ付き蓋を備えた、シガレットの剛性パケットは、シガレット群を包むシールされていない内側パッケージと、ヒンジ付き蓋を備え内側パッケージを収容する剛性外側容器とを含む。内側パッケージは、内側パッケージのリフトアップ部分によって覆われた抜き取り開口を上部に有している。このリフトアップ部分は、蓋の開閉動作を利用することによって自動的に持ち上げられ沈め込まれるように、蓋の内面に接着されている。
【先行技術文献】
【特許文献】
【０００４】
【特許文献１】欧州特許出願公開第１５９１０２７号明細書
【発明の概要】
【発明が解決しようとする課題】
【０００５】
本発明の目的は、シガレットのパケットから上記欠点を取り除くとともに、このようなパケットの製造が容易且つ低廉である、再閉鎖可能な抜き取り口を有する内側パッケージを備えた喫煙物品のパケットを提供することである。
【課題を解決するための手段】
【０００６】
本発明によれば、添付の特許請求の範囲において主張された、再閉鎖可能な抜き取り口を有する内側パッケージを備えた喫煙物品のパケットが提供される。
【０００７】
非制限的な実施態様を示す添付の図面を参照しながら、本発明を以下に説明する。
【図面の簡単な説明】
【０００８】
【図１】本発明に基づいて製造されたシガレットのパケットを閉じられた形態で示す正面斜視図である。
【図２】図１のシガレットのパケットを閉じられた形態で示す背面斜視図である。
【図３】図１のシガレットのパケットを開いた形態で示す正面斜視図である。
【図４】図４は、図１のパケットの内側パッケージを閉じられた形態で示す正面斜視図である。
【図５】図４の内側パッケージを開いた形態で示す正面斜視図である。
【図６】図４の内側パッケージ内部に含まれるシガレット群を示す正面斜視図である。
【図７】図４の内側パッケージを製造するために使用されるヒートシール可能な包装材料シートを示す平面図である。
【図８】図４の内側パッケージ内部に含まれる補強材を示す正面斜視図である。
【図９】図８の補強材を製造するために使用されるブランクを示す図である。
【図１０】図７の包装材料シートの別の実施態様を示す平面図である。
【図１１】図７の包装材料シートのさらに別の実施態様を示す平面図である。
【図１２】図４の内側パッケージの前部の詳細を示す概略図である。
【図１３】図の内側パッケージの前部のXIII−XIII線に沿って示す概略的な断面図である。
【発明を実施するための形態】
【０００９】
図１、２及び３において、符号１はシガレットの剛性パケットを全体として示している。シガレットのパケット１は、ボール紙又は剛性の板紙から形成されたカップ形の外側容器２と、容器２の内側に収容された内側パッケージ３（図４及び５に最もよく示されている）とを含む。
【００１０】
外側容器２は開いた上端部を有し、カップ形の蓋４を備えており、そして、開いた上端部の開位置（図３に示されている）と閉位置（図１及び２に示されている）との間で外側容器２自体に対して旋回するようにヒンジ５（図２に示されている）に沿って外側容器２にヒンジ結合されている。
外側容器２はほぼ直方体の形状を有し、そして開いた上端部と、上端部とは反対側の底壁６と、互いに平行であり互いに対向する前壁７及び後壁８（ヒンジ５が形成されている）と、互いに平行であり互いに対向する２つの側壁９とを有している。
蓋４はほぼ直方体の形状を有し、そして開いた底端部（外側の蓋４が閉位置にあるときには容器２の開いた上端部に面する）と、上壁１０（蓋４が閉位置にあるときには外側容器２の底壁６に対して平行であり且つ対向し、そして外側容器２の底壁６と整列する）と、前壁１１（蓋４が閉位置にあるときには外側容器２の前壁７に対して平行であり、そして外側容器２の前壁７と整列する）と、後壁１２（蓋４が閉位置にあるときには容器２の後壁８に対して平行であり、そして容器２の後壁８と整列する）と、互いに平行であり互いに対向する２つの側壁１３（蓋４が閉位置にあるときには外側容器２の側壁９に対して平行であり、そして外側容器２の側壁９と整列する）とを有している。
【００１１】
図４及び５に示されているように、内側パッケージ３は直方体形状のシガレット群１４（図５に部分的に示されており、図６に完全に示されている）を封入しており、そして上部及び前部にリフトアップ部分１５を有している。
リフトアップ部分１５は、予め弱化されたＵ字形分離線１６によって当該内側パッケージ３の残り部分から分離され、そしてリフトアップ部分１５は、初めてシガレットのパケット１が開かれたときに完全に裂断される。リフトアップ部分１５が持ち上がる（すなわち、リフトアップ部分１５が内側パッケージ３の残り部分から取り外される）ことにより、抜き取り口１７（図５に示されている）が解放（形成）される。
抜き取り口１７は、内側パッケージ３の内側に含まれるシガレット群１４へのアクセスを可能にする。内側パッケージ３のリフトアップ部分１５は、他のエレメントの介在なしに、蓋４の上壁１０の内面、及び蓋４の前壁１１の内面と直接に接触している。
換言すれば、蓋４の内面と内側パッケージ３のリフトアップ部分１５との間には、他のエレメントが介在しておらず、リフトアップ部分１５は蓋４の内面と直接に接触している。
【００１２】
内側パッケージ３はほぼ直方体の形状を有し、そして互いに平行であり互いに対向する上壁１８及び底壁１９と、互いに平行であり互いに対向する前壁２０及び後壁２１と、互いに平行であり互いに対向する２つの側壁２２とを有している。
内側パッケージ３のリフトアップ部分１５（すなわちリフトアップ部分１５に対してネガティブに相応する抜き取り開口１７）は中央に配置されており、上壁１８の中央部分（すなわち制限された部分）及び前壁２０の中央部分（すなわち制限された部分）に関与する（すなわちこれらの部分に延びる）。
【００１３】
内側パッケージ３は、防水性でヒートシール可能な包装材料シート２３を折ることによって形成される（図７に示されている）。包装材料シート２３は方形の形状を有しており、分離線１６を有している。分離線１６はＵ字形であり、リフトアップ部分１５を画定している。
内側パッケージ３は、内側パッケージ３の前壁、後壁、又は底壁に配置された中央シーリング材（又は長手方向シーリング材）（いずれの場合にも、リフトアップ部分１５それ自体から良好に分離されるようにリフトアップ部分１５から所与の距離を置いて設けられる）と、内側パッケージ３の側壁に配置された２つの側方シーリング材（又は横方向シーリング材）とによって安定化され、すなわち折られた形態で維持される。
【００１４】
図８及び９に示されているように、内側パッケージ３は補強材２４を含む。補強材２４はボール紙又は剛性の板紙（外側容器２を構成するボール紙又は剛性の板紙と極めて類似している）から形成されており、Ｕ字形であり、そしてシガレット群１４と接触する内側パッケージ３の内側に配置されている。
【００１５】
補強材２４は、一方の側ではシガレット群１４の前壁と接触し反対側では内側パッケージ３の前壁２０と接触した状態で配置された方形の前壁２５と、前壁２５の互いに対向する側に結合された一対の側壁２６とを含んでいる。これらの側壁２６は、一方の側ではシガレット群１４の側壁と接触し、反対側では内側パッケージ３の側壁２２と接触した状態で配置されている。
補強材２４の前壁２５はＵ字形窓２９を有している。Ｕ字形窓２９は、上部に配置されており、シガレットをシガレット群１４から取り出すのを容易にする。それというのもＵ字形窓がシガレット群１４の前壁の上部領域を抜き取り口１７のところで露出させたままにするからである。
図示されていない別の実施態様によれば、補強材２４は下壁を含んでいてもよい。下壁は、一方の側ではシガレット群１４の底壁と接触し、反対側では内側パッケージ３の下壁１９と接触した状態で配置されている。
図示されていない別の実施態様によれば、補強材２４は２つの小さな上壁を含んでいてよい。これらの上壁は側壁２６に結合されており、一方の側ではシガレット群１４の上壁と接触し、反対側では内側パッケージ３の上壁１８と接触した状態で配置されている。
【００１６】
図７に示されているように、分離線１６は（水平方向に配置された）Ｕ字形の横方向部分３０を含み、この横方向部分３０は内側パッケージ３の前壁２０内で延び、そして内側パッケージ３の連続的な貫通切れ目を画定している。
換言すれば、分離線１６の横方向部分３０に沿って、内側パッケージ３は、横方向部分３０それ自体を跨ぐいかなるタイプの連結も有することなしに横に完全に切られている（すなわち、分離線１６の横方向部分３０は内側パッケージ３の完全な全体的な切れ目である）。
さらに、分離線１６は２つの長手方向部分３１を含む。これらの長手方向部分３１は、部分的には内側パッケージ３の前壁２０内で且つ部分的には内側パッケージ３の上壁１８内で、途切れることなしに延び、横方向部分３０の対向する端部で始まり、そして内側パッケージ３の裂断可能な弱化部分を画定する。
換言すれば、分離線１６の各長手方向部分３１は内側パッケージ３の連続的な貫通切れ目を画定しているのではなく、内側パッケージ３の弱化部分を画定している。この弱化部分は、裂断後に内側パッケージ３の連続的な貫通切れ目になるように容易に裂断することができる。従って、分離線１６の長手方向部分３１に沿って、内側パッケージ３の残留結合部が、長手方向部分３１自体を跨いで配列されたままになる。分割線１６の長手方向部分３１は、切れ目長さと切れ目を施されていない長さとを交互に設けることによって画定することができ、あるいは連続的な、貫通していない切れ込みによって画定することもできる。
好ましい実施態様によれば、分割線１６の各長手方向部分３１は、（横方向部分３０とは反対側で）カール３２で終わっている。カール３２は、リフトアップ部分１５が開いているとき（すなわち内側パッケージ３の残りから分離されたとき）に内側パッケージ３に沿って裂け目が伝播するのを遮断する機能を有する。
【００１７】
図７に示された実施態様の場合、分離線１６の横方向部分３０は内側パッケージ３の連続的な貫通切れ目を画定するのに対して、分離線１６の長手方向部分３１は内側パッケージ３の裂断可能な弱化部を画定している。しかしながら、図１０に示された別の実施態様では、分離線１６の横方向部分３０も内側パッケージ３の裂断可能な弱化部を画定しており、従って分離線１６は延び全体にわたって内側パッケージ３の裂断可能な弱化部である。
【００１８】
図７に示された実施態様では、分離線１６は内側パッケージ３の後壁２１にも部分的に延びている（すなわち分離線１６の２つの長手方向部分３１は内側パッケージ３の後壁２１にも部分的に延びている）。その代わりに図１１に示された別の実施態様では、分離線１６は内側パッケージ３の前壁２０及び後壁２１へのみ延びており、内側パッケージ３の上壁１８と後壁２１との間の横方向縁部の手前で終わっている（すなわち分離線１６の２つの長手方向部分３１は内側パッケージ３の上壁１８と後壁２１との間の横方向縁部の手前で終わっている）。
換言すれば、分離線１６は、内側パッケージ３の上壁１８と後壁２１との間の横方向縁部からゼロ以外の所与の距離を置いて終わっている（すなわち分離線１６の２つの長手方向部分３１は、内側パッケージ３の上壁１８と後壁２１との間の横方向縁部からゼロ以外の所与の距離を置いて終わっている）。
図１１に示された実施態様は、蓋４の内面とのより高い（より良好な）接触力でリフトアップ部分１５を保持するが、しかし他面において抜き取り口１７の寸法全体（面積、範囲）を不都合なものにする。
【００１９】
図７に示されているように、リフトアップ部分１５は、内側パッケージ３の前壁２０に配置された底端部３３を有している。この底端部３３は、分離線１６の横方向部分３０によって仕切られている。
換言すれば、分離線１６の横方向部分３０は、内側パッケージ３の前壁２０に配置されたリフトアップ部分１５の底端部３３を仕切って（取り囲んで）おり、この底端部３３はリフトアップ部分１５の下側部分（すなわち底壁１９寄りの部分）を画定している。
【００２０】
図７に示されているように、リフトアップ部分１５の底端部３３は、永久接着剤３４（すなわち位置決めし直すことができない溶液系接着剤）によって、蓋４の前壁１１の内面に接着される。すなわちリフトアップ部分１５の底端部３３は蓋４の内面に、永久的且つ分離不能に接着される。こうして蓋４を開閉することによって、リフトアップ部分１５も同時に開閉される。
図示されていない別の実施態様によれば、底端部３３に加えて、又は底端部３３の代わりに、底端部３３以外のリフトアップ部分１５の一部が、蓋４の内面に永久的且つ分離不能に接着されてもよい。
リフトアップ部分１５の底端部３３が蓋４に永久的に組み込まれているという事実によって、リフトアップ部分１５を蓋４と一緒に同時に動かすことが可能になる。蓋４が開かれる間、内側パッケージ３それ自体の内部に含まれるシガレットにいかなる負荷もかからない状態で静かに徐々に内側パッケージ３からリフトアップ部分１５が持ち上げられる。
さらに、蓋４が閉じられる間には、リフトアップ部分１５は静かに徐々に内側パッケージ３上に沈め込まれ、リフトアップ部分１５が内側パッケージ３のプロフィールを順序通り正確に包むのが可能になる。
【００２１】
図１２に示されているように、リフトアップ部分１５の底端部３３は、窓２９の下で補強材２４の前壁２５に当て付けられている。換言すれば、補強材２４の前壁２５は内側パッケージ３の抜き取り口１７から突出しており、従って、（図３及び５に示されているように）内側パッケージ３のリフトアップ部分１５が開かれると、補強材２４の前壁２５は内側パッケージ３の抜き取り口１７を通して見ることができる。
【００２２】
図示されていない別の実施態様によれば、補強材２４の前壁２５は内側パッケージ３の抜き取り口１７から突出しておらず、従って、内側パッケージ３のリフトアップ部分１５が開かれると、補強材２４の前壁２５は内側パッケージ３の抜き取り口１７を通して見ることができない。
【００２３】
図１２に示されているように、補強材２４の前壁２５は第１接着帯３５を有している。第１接着帯３５は、リフトアップ部分１５の底端部３３を前壁２５に接着するように、リフトアップ部分１５の底端部３３のところで前壁２５の外面上に配置されている。好ましくは、接着帯３５は、分離線１６の横方向部分３０の上方で分離線１６の２つの長手方向部分３１に重ねられるように配置される。
【００２４】
図１２に示されているように、補強材２４の前壁２５は接着帯３６を有している。接着帯３６は、接着帯３５に対して平行に且つ接着帯３５から離隔しており、そして内側パッケージ３の、リフトアップ部分１５に隣接する（すなわちリフトアップ部分１５に隣接し、分離線１６によってリフトアップ部分１５自体から分離される）前部を前壁２５に接着するように、リフトアップ部分１５の底端部３３よりも低い、前壁２５の外面上に配置されている。
好ましくは、接着帯３６はＵ字形であり、そしてリフトアップ部分の底端部３３を外方から取り囲んでいる。さらに、接着帯３６の端部は接着帯３５と接触し、２つの接着帯３５及び３６に接着剤なしの中心領域を仕切るリング全体の形状が与えられる。
【００２５】
可能な実施態様によれば、接着帯３５は弱付着性の溶液系接着剤（drying glue）から成る。溶液系接着剤は、初めてシガレットのパケット１が開かれたときにその接着効果を放棄し（yield）て失う。
さらなる実施態様によれば、接着帯３５は、リフトアップ部分１５の底端部３３を補強材２４の前壁２５に対して繰り返し取り外して再付着させるように、非乾燥型の再付着性接着剤（すなわち付着性であり続ける）から成る。
一般に、利用し易さのために、接着帯３６は、接着帯３５と同じタイプの接着剤から成る。
しかしながら、接着帯３５が再付着性接着剤から形成されるのに対して、接着帯３６は、非乾燥型の再付着性接着剤から形成されてもよい。
【００２６】
持ち上げ部分１５の底端部３３と補強材２４の前壁２５との間に接着帯３５が存在することによって、補強材２４の前壁２５に対する持ち上げ部分１５の底端部３３の一時的な接着が決定づけられる。前記接着が一時的なのは、この接着が初めてシガレットのパケットを開いたときに中断され、そして接着帯３５が再付着性接着剤から成る場合にのみ回復されるからである。
内側パッケージ３と補強材２４の前壁２５との間に接着帯３６が存在することによって、補強材２４の前壁２５に対する内側パッケージ３の前壁２０の永久的な接着（すなわち使用中にも決して分離されない）が決定づけられる。
【００２７】
２つの接着帯３５及び３６の機能は、初めてシガレットのパケット１を開くまで、又は分離線１６全体を完全に裂断するまで、抜き取り口１７を「シール」することである。換言すれば、分離線１６の横方向部分３０は最初から内側パッケージ３の貫通切れ目を画定しており、従って分離線１６の横方向部分３０を通って、空気が内側パッケージ３の内部に侵入するおそれがある。
接着帯３５及び３６はこうして、分離線１６の横方向部分３０の周り全体にわたって内側パッケージ３の前壁２０を補強材２４の前壁２５に接着し、ひいては空気が分離線１６の横方向部分３０を通って内側パッケージ３の内部に浸透するのを防止する。
すなわち、分離線１６の横方向部分３０は、分離線１６の横方向部分３０の周り全体にわたって「シール」リングを形成する２つの接着帯３５及び３６によって「シール」される。接着帯３５は再付着性接着剤から成る場合には、初めてシガレットのパケット１を開いた後、補強材２４の前壁２５と密に接触した状態にリフトアップ部分１５を保つという付加的な機能を有する。
【００２８】
注意するべき重要な点は、接着帯３５だけしか存在しない（すなわち接着帯３６がない）場合でも、初めてシガレットのパケット１を開くまで、又は分離線１６全体を完全に裂断するまで、抜き取り口１７のシール性を高め得ることである。
換言すれば、接着帯３５は単独でも（すなわち接着帯３６がなくても）、抜き取り口１７のシール性を高める。明らかに、接着帯３６を加えると、初めてシガレットのパケット１を開くまで、又は分離線１６全体を完全に裂断するまで、抜き取り口１７のシール性をさらに改善することができる。
【００２９】
好ましい、しかし拘束的でない実施態様によれば、補強材２４は外側に（すなわち、内側パッケージ３を構成する包装材料シート２３と接触して、そしてシガレット群１４とは反対側に）プラスチック被覆面、すなわちプラスチック材料から成る外層によって覆われた面を有している。
換言すれば、（内側パッケージ３を構成する包装材料シート２３と接触して、そしてシガレット群１４とは反対側に配置された）外面がプラスチック材料から成る外層によって覆われている。
例えば、補強材２４の外面はポリエチレン薄膜で覆われていてよい。ポリエチレン薄膜は積層するか、又はスプレーなどによって塗布することができる。補強材２４の外面のプラスチック被覆（すなわちプラスチック材料から成る外層による被覆）によって、内側パッケージ３（抜き取り口１７）のかなりのタイトネスを保証することができる。それというのも、２つの接着帯３５及び３６が補強材２４の外面と接触して防水バリアを形成するからである。
【００３０】
図１２に示された実施態様はまた、初めてシガレットのパケット１を開いたときに分離線１６の２つの長手方向部分３１のトリガ及び最初の裂け目伝播を特に容易にするというさらなる利点を有する。
それというのも、２つの長手方向部分３１で取り外されるべき接着剤の領域（すなわち接着帯３５）の広がりが低減されており、ひいては高い分離力を加えることを必要としないからである。
【００３１】
添付の図面に示された実施態様では、長手方向縁部は面取りされている。あるいは長手方向縁部は丸み付けされるか真直ぐであってもよい。
【００３２】
上記シガレットのパケット１は数多くの利点を有している。
【００３３】
先ず、上記シガレットのパケット１において、内側パケット３の抜き取り口１７は特に大きく、このことはシガレットの抜き取りやすさにとって有利である。このような結果は、内側パケット３のリフトアップ部分１５が、他のエレメントの介在なしに蓋４の内面と直接に接触しているという事実によって得られる。
すなわち、他のエレメント（典型的には再シール可能な接着ラベル）のための付加的な空間を提供する必要がないので、リフトアップ部分１５はそれ自体が、利用可能な空間全てを活用することができ、その結果極めて大きい抜き取り口１７を形成することができる。
【００３４】
さらに、上記シガレットのパケット１において、リフトアップ部分１５と蓋４の内面とを永久的に結合することにより、蓋４のハンドリングと連携するリフトアップ部分１５の「自動的な」開閉を極めて簡単に達成することができる。換言すれば、蓋４の開閉によって、リフトアップ部分１５も「自動的」かつ同時に開閉される。
【００３５】
最後に、上記シガレットのパケット１は簡単且つ低廉に製造することができる。それというのも、外側容器２は全体的に従来型であり、そして内側パッケージ３は、これを製造するための所要エレメント数を低減するからである（すなわち内側パッケージ３は包装材料シート２３と、補強材２４とだけを含み、さらなる付加物を必要としない）。
【図１】
0006702894.tif 000002
【図２】
0006702894.tif 000003
【図３】
0006702894.tif 000004
【図４】
0006702894.tif 000005
【図５】
0006702894.tif 000006
【図６】
0006702894.tif 000007
【図７】
0006702894.tif 000008
【図８】
0006702894.tif 000009
【図９】
0006702894.tif 000010
【図１０】
0006702894.tif 000011
【図１１】
0006702894.tif 000012
【図１２】
0006702894.tif 000013
【図１３】
0006702894.tif 000014